(57)【要約】【課題】コンテンツについてのユーザの自由な視聴と著作者の保護およびコンテンツの再生開始までの待ち時間の短縮化を図ること。【解決手段】再生装置３００に光ディスクを挿入し、セットアップ部３０４により、任意の記録領域に記録されているコンテンツをセットアップする。セットアップ完了後、検出部３１１により、そのコンテンツの記録領域に形成されているウォブルの周波数を検出する。メディア識別部３１２により、検出されたウォブルの周波数に基づいて記録領域のメディアの種類を識別する。再生専用メディアの場合、当該コンテンツの再生を開始する。記録可能メディアの場合、判定部３０２により、そのコンテンツの再生許可があるか否かを判定する。再生許可がない場合、当該コンテンツの再生を禁止する。一方、再生許可がある場合、再生部３０３により当該コンテンツの再生を開始する。【選択図】        図３
2006092587.tif 000002
【特許請求の範囲】
【請求項１】
メディアの種類が異なる複数の記録領域を有する光ディスクから、任意の記録領域に形成されているウォブルの周波数を検出する検出手段と、
前記検出手段によって検出された検出結果に基づいて、前記任意の記録領域におけるメディアの種類を識別する識別手段と、
を備えることを特徴とする識別装置。
【請求項２】
前記光ディスクは、メディアの種類が異なる複数の記録層を前記記録領域とする多層構造であることを特徴とする請求項１に記載の識別装置。
【請求項３】
前記光ディスクは、１または複数の記録層を有し、任意の記録層においてメディアの種類が異なる複数のゾーンを前記記録領域とする構造であることを特徴とする請求項１に記載の識別装置。
【請求項４】
メディアの種類が異なる複数の記録領域を有する光ディスクから、任意の記録領域に形成されているウォブルの周波数を検出する検出手段と、
前記検出手段によって検出された検出結果に基づいて、前記任意の記録領域におけるメディアの種類を識別する識別手段と、
前記識別手段によって識別された識別結果に基づいて、前記任意の記録領域に記録されているコンテンツを再生する再生手段と、
を備えることを特徴とする再生装置。
【請求項５】
前記再生手段は、
前記識別手段によってメディアの種類が再生専用メディアであると識別された場合、前記任意の記録領域に記録されているコンテンツを再生することを特徴とする請求項４に記載の再生装置。
【請求項６】
前記識別手段によってメディアの種類が記録可能メディアであると識別された場合、前記任意の記録領域に記録されているコンテンツについて再生が許可されているか否かを判定する判定手段を備え、
前記再生手段は、
前記判定手段によって再生が許可されていると判定された場合、当該コンテンツを再生し、前記判定手段によって再生が許可されていないと判定された場合、当該コンテンツを再生しないことを特徴とする請求項４または５に記載の再生装置。
【請求項７】
前記検出手段によるウォブルの周波数の検出に先立って、前記任意の記録領域に記録されているコンテンツのみを再生するためのセットアップをおこなうセットアップ手段を備え、
前記検出手段は、
前記セットアップ手段によってセットアップがおこなわれたコンテンツの記録領域に形成されているウォブルの周波数を検出することを特徴とする請求項４〜６のいずれか一つに記載の再生装置。
【請求項８】
前記セットアップ手段は、
前記再生手段によって再生されたコンテンツ以外の他のコンテンツのみを再生するためのセットアップをおこない、
前記検出手段は、
前記セットアップ手段によってセットアップがおこなわれた他のコンテンツの記録領域に形成されているウォブルの周波数を検出することを特徴とする請求項７に記載の再生装置。
【請求項９】
前記光ディスクは、メディアの種類が異なる複数の記録層を前記記録領域とする多層構造であることを特徴とする請求項４〜８のいずれか一つに記載の再生装置。
【請求項１０】
前記光ディスクは、１または複数の記録層を有し、任意の記録層においてメディアの種類が異なる複数のゾーンを前記記録領域とする構造であることを特徴とする請求項４〜８のいずれか一つに記載の再生装置。
【請求項１１】
メディアの種類が異なる複数の記録領域を有する光ディスクから、任意の記録領域に形成されているウォブルの周波数を検出する検出工程と、
前記検出工程によって検出された検出結果に基づいて、前記任意の記録領域におけるメディアの種類を識別する識別工程と、
を含んだことを特徴とする識別方法。
【請求項１２】
メディアの種類が異なる複数の記録領域を有する光ディスクから、任意の記録領域に形成されているウォブルの周波数を検出する検出工程と、
前記検出工程によって検出された検出結果に基づいて、前記任意の記録領域におけるメディアの種類を識別する識別工程と、
前記識別工程によって識別された識別結果に基づいて、前記任意の記録領域に記録されているコンテンツを再生する再生工程と、
を含んだことを特徴とする再生方法。
【請求項１３】
複数の記録層を有する光ディスクであって、
前記複数の記録層のうち一の記録層に形成されているウォブルの周波数と前記一の記録層以外の他の記録層のウォブルの周波数とが異なる周波数となるように構成されたことを特徴とする光ディスク。
【請求項１４】
複数のゾーンを有する光ディスクであって、
前記複数のゾーンのうち一のゾーンに形成されているウォブルの周波数と前記一のゾーン以外の他のゾーンのウォブルの周波数とが異なる周波数となるように構成されたことを特徴とする光ディスク。
【発明の詳細な説明】
【技術分野】
【０００１】
この発明は、識別装置、再生装置、識別方法、再生方法、および光ディスクに関する。ただし、この発明の利用は、上述した識別装置、再生装置、識別方法、再生方法、および光ディスクに限られない。
【背景技術】
【０００２】
従来、記録ディスクの種別を示すディスク種別情報が記録されている記録ディスクの原盤を容易に作成可能にした記録ディスクも提案されている。この記録ディスクでは、記録ディスクに形成されているグルーブトラックのウォブル形態によってこの記録ディスクの種別を表すことができる（たとえば、特許文献１を参照。）。
【０００３】
上述した特許文献１で用いられているディスクは、単一メディアからなる１層の光ディスクであるが、現在、記録容量の増加のため単一メディアを多層にした多層ディスクも開発されている。このような多層ディスクでは、メディアの種類が単一であるため、多層ディスク全体についてセットアップ処理をおこない、任意の層を再生開始層として当該再生開始層に対してのみウォブル検出をおこなう。そして、ウォブル検出の検出結果から多層ディスクを構成する単一メディアの種類を識別する。このあと、その識別結果と、多層ディスクに記録されているコンテンツが著作権保護コンテンツであるか否かの判定結果とに基づいて、当該コンテンツが再生可能であるか否かを判断している。
【０００４】
【特許文献１】特開２００３−０３６５４３号公報
【発明の開示】
【発明が解決しようとする課題】
【０００５】
しかしながら、今後、上述した単一メディアの多層ディスクから、複数種類のメディアからなる多層ディスクの開発が予想される。このような多層ディスクが開発された場合、従来の再生装置では、再生開始層のみウォブル検出をおこない、当該再生開始層以外の他の層ではウォブル検出をおこなわないため、以下の問題点が生じると考えられる。
【０００６】
たとえば、ウォブル検出の検出結果によって再生開始層のメディアが、ＤＶＤ−ＲＡＭ、ＤＶＤ−Ｒ／ＲＷ、ＤＶＤ＋Ｒ／ＲＷなどの記録可能メディア（たとえば、ＤＶＤ＋ＲＷ）であると識別された場合、当該再生開始層の記録可能メディアに著作権保護コンテンツが記録されていると、多層ディスク全体の再生が許可されないこととなる。
【０００７】
したがって、再生開始層以外の他の層がＤＶＤ＋ＲＷとは異なる種類の記録可能メディア（たとえば、ＤＶＤ−Ｒ）である場合、当該他の層に著作権保護されていないコンテンツが記録されていても再生が許可されないこととなる。これにより、当該コンテンツの再生は適法であるにもかかわらず、ユーザの自由な視聴を誤って禁止してしまうことになるという問題が生じると考えられる。
【０００８】
また、上述した単一メディアの多層ディスクの場合、再生開始前に、任意の再生開始層についてのみのウォブル検出結果によって多層ディスク全体のメディアを識別している。したがって、ウォブル検出をおこなう前に、多層ディスクの全層、全ゾーンについてセットアップを完了しておかなければならず、再生開始までに時間がかかってしまうという問題が生じると考えられる。
【課題を解決するための手段】
【０００９】
請求項１の発明にかかる識別装置は、メディアの種類が異なる複数の記録領域を有する光ディスクから、任意の記録領域に形成されているウォブルの周波数を検出する検出手段と、前記検出手段によって検出された検出結果に基づいて、前記任意の記録領域におけるメディアの種類を識別する識別手段と、を備えることを特徴とする。
【００１０】
請求項４の発明にかかる再生装置は、メディアの種類が異なる複数の記録領域を有する光ディスクから、任意の記録領域に形成されているウォブルの周波数を検出する検出手段と、前記検出手段によって検出された検出結果に基づいて、前記任意の記録領域におけるメディアの種類を識別する識別手段と、前記識別手段によって識別された識別結果に基づいて、前記任意の記録領域に記録されているコンテンツを再生する再生手段と、を備えることを特徴とする。
【００１１】
請求項１１の発明にかかる識別方法は、メディアの種類が異なる複数の記録領域を有する光ディスクから、任意の記録領域に形成されているウォブルの周波数を検出する検出工程と、前記検出工程によって検出された検出結果に基づいて、前記任意の記録領域におけるメディアの種類を識別する識別工程と、を含んだことを特徴とする。
【００１２】
請求項１２の発明にかかる再生方法は、メディアの種類が異なる複数の記録領域を有する光ディスクから、任意の記録領域に形成されているウォブルの周波数を検出する検出工程と、前記検出工程によって検出された検出結果に基づいて、前記任意の記録領域におけるメディアの種類を識別する識別工程と、前記識別工程によって識別された識別結果に基づいて、前記任意の記録領域に記録されているコンテンツを再生する再生工程と、を含んだことを特徴とする。
【００１３】
請求項１３の発明にかかる光ディスクは、複数の記録層を有する光ディスクであって、
前記複数の記録層のうち一の記録層に形成されているウォブルの周波数と前記一の記録層以外の他の記録層のウォブルの周波数とが異なる周波数となるように構成されたことを特徴とする。
【００１４】
請求項１４の発明にかかる光ディスクは、複数のゾーンを有する光ディスクであって、前記複数のゾーンのうち一のゾーンに形成されているウォブルの周波数と前記一のゾーン以外の他のゾーンのウォブルの周波数とが異なる周波数となるように構成されたことを特徴とする。
【発明を実施するための最良の形態】
【００１５】
以下に添付図面を参照して、この発明の実施の形態にかかる識別装置、再生装置、識別方法、再生方法、および光ディスクの好適な実施の形態を詳細に説明する。
【００１６】
（光ディスクの構造）
まず、この発明の実施の形態にかかる光ディスクの構造について説明する。光ディスクは、メディアの種類が異なる複数の記録領域を有する。ここで、メディアとは、音楽ＣＤ、ＣＤ−ＲＯＭ、ＣＤ−Ｒ／ＲＷ、ＤＶＤ−ＲＯＭ、ＤＶＤ−Ｒ／ＲＷ、ＤＶＤ＋Ｒ／ＲＷ、ＤＶＤ−ＲＡＭなどの記録媒体である。また、記録領域とは、光ディスクを構成する複数の記録層とすることができる。
【００１７】
図１は、この発明の実施の形態にかかる光ディスクの一例を示す模式図である。図１において、光ディスク１００は、メディアの種類が異なるｍ層（ｍ＝２，３，４，・・・，ｉ，・・・）の記録層Ｌから構成されている。たとえば、第１記録層Ｌ１はＤＶＤ−ＲＯ
Ｍ、・・・、第ｉ記録層ＬｉはＤＶＤ＋ＲＷ、・・・、第ｍ記録層ＬｍはＤＶＤ−Ｒとす
ることができる。
【００１８】
また、光ディスクの記録領域は、一または複数の記録層のうち任意の記録層において、光ディスクの径方向に区分した複数のゾーンによっても構成することもできる。図２は、この発明の実施の形態にかかる光ディスクの他の例を示す模式図である。図２において、光ディスク２００は、ｍ層（ｍ＝１，２，３，４，・・・，ｉ，・・・）の記録層Ｌから
構成され、各記録層は、ｎ個（ｎ＝２，３，４，・・・，ｊ，・・・）のゾーンが記録領域として形成されている。たとえば、第ｉ記録層Ｌｉにおいて、第１ゾーンＺ１はＤＶＤ
−ＲＯＭ、・・・、第ｊゾーンＺｊはＤＶＤ＋ＲＷ、・・・、第ｎゾーンＺｎはＤＶＤ−Ｒとすることができる。
【００１９】
（再生装置の機能的構成）
つぎに、この発明の実施の形態にかかる再生装置の機能的構成について説明する。図３は、この発明の実施の形態にかかる再生装置の機能的構成を示すブロック図である。図３において、再生装置３００は、識別装置３０１と、判定部３０２と、再生部３０３と、セットアップ部３０４と、を備えている。
【００２０】
識別装置３０１は、検出部３１１とメディア識別部３１２とを備える。検出部３１１は、メディアの種類が異なる複数の記録領域を有する光ディスクから、任意の記録領域に形成されているウォブルの周波数を検出する。具体的には、図１に示した光ディスク１００の任意の記録層Ｌｉに形成されているウォブルの周波数を検出する。同様に、図２に示した光ディスク２００の任意のゾーンＺｊに形成されているウォブルの周波数を検出する。このウォブルの周波数の検出は、図１または図２に示した光ディスク１００，２００を再生装置３００に挿入した場合におこなう。
【００２１】
メディア識別部３１２は、検出部３１１によって検出された検出結果に基づいて、任意の記録領域におけるメディアの種類を識別する。具体的には、検出結果となるウォブルの周波数により、任意の記録領域（第ｉ記録層Ｌｉまたは第ｊゾーンＺｊ）におけるメディアが、音楽ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭのうちいずれのメディアであるかを識別する。
【００２２】
このように、この識別装置３０１によれば、記録領域ごとにウォブルの周波数を検出してメディアの種類を識別することとしているため、メディアの種類を記録領域ごとに確認することができる。
【００２３】
再生部３０３は、メディア識別部３１２によって識別された識別結果に基づいて、任意の記録領域に記録されているコンテンツを再生する。ここで、再生とは、たとえば、任意の記録領域からコンテンツのデータを読み取ってバッファに保持し、所定量蓄積されてから順次データを出力することによって、再生（絵や音出し）をおこなうことである。
【００２４】
また、再生部３０３は、具体的には、識別結果が音楽ＣＤ、ＣＤ−ＲＯＭ、ＤＶＤ−ＲＯＭなどの再生専用メディアである場合、その記録領域に記録されているコンテンツをそのまま再生する。一方、識別結果がＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭなどの記録可能メディアである場合、後述する判定部３０２による判定結果に基づいて再生する。このように、この再生部３０３では、識別装置３０１により記録領域ごとにメディアの種類を確認することができるため、異なるメディアであっても記録領域ごとにコンテンツを再生することができる。
【００２５】
また、判定部３０２は、メディア識別部３１２によってメディアの種類が記録可能メディアであると識別された場合、任意の記録領域に記録されているコンテンツについて再生が許可されているか否かを判定する。具体的には、コンテンツが著作権保護されている場合に、再生装置３００で再生が許可されているか否かを判定する。
【００２６】
たとえば、ＣＳＳ（Content Scrambling System）、ＣＰＰＭ（Content Protection for Prerecorded Media）、ＣＰＲＭ（Content Protection for Recordable Media）などの暗号化技術により、記録領域内のコンテンツがこの再生装置３００で再生が許可されているか否かを判定することができる。また、暗号化技術のほか、記録領域のメディアが有するリージョンコード（リージョナルコードともいう）によっても再生装置３００で再生が許可されているか否かを判定することができる。
【００２７】
そして、再生部３０３は、判定部３０２によって再生が許可されていると判定された場合、当該コンテンツを再生し、判定部３０２によって再生が許可されていないと判定された場合、当該コンテンツを再生禁止にする。このように、再生部３０３では、識別装置３０１により記録領域ごとにメディアの種類を確認することができるため、コンテンツの著作権保護の有無を記録領域ごとに判断することができる。
【００２８】
また、セットアップ部３０４は、検出部３１１によるウォブルの周波数の検出に先立って、任意の記録領域に記録されているコンテンツのみを再生するためのセットアップをおこなう。ここで、セットアップとは、光ディスク１００，２００の挿入後の光ディスク１００，２００の回転処理、フォーカスクローズ、トラッキングクローズ、その他各種自動調整などの処理であり、任意の記録領域に記録されているコンテンツのみについておこなう。
【００２９】
この場合、検出部３１１は、セットアップ部３０４によってセットアップがおこなわれたコンテンツの記録領域に形成されているウォブルの周波数を検出する。そして、再生部３０３はこの検出結果に基づいて当該コンテンツを再生する。これにより、任意の記録領域に記録されているコンテンツの再生開始までの待ち時間が、当該コンテンツについての再生開始に必要なセットアップの時間（セットアップ時間）のみとなるため、光ディスクの全記録層Ｌ、全ゾーンＺのセットアップの完了を待たずに、当該コンテンツの再生を開始することができる。
【００３０】
この場合、他のコンテンツのセットアップについては、先に再生されたコンテンツの再生中に、セットアップ部３０４が他のコンテンツのセットアップをおこない、検出部３１１がそのウォブルの周波数を検出し、他のコンテンツを再生開始可能な待機状態とすることができる。すなわち、先に再生されたコンテンツ以外の他のコンテンツのセットアップを、先に再生されたコンテンツの再生処理と同時進行でおこなうことができる。
【００３１】
なお、セットアップ部３０４は、先に再生されたコンテンツの記録領域の次の記録領域に記録されているコンテンツを他のコンテンツとしてセットアップすることとしてもよく、また、ユーザからの操作入力によって指定されたコンテンツを他のコンテンツとしてセットアップすることとしてもよい。
【００３２】
（再生処理手順）
つぎに、この発明の実施の形態にかかる再生処理手順について説明する。図４は、この発明の実施の形態にかかる再生処理手順を示すフローチャートである。まず、再生装置３００に光ディスク１００（または光ディスク２００）を挿入し（ステップＳ４０１）、セットアップ部３０４により、任意の記録領域に記録されているコンテンツのセットアップをおこなう（ステップＳ４０２）。
【００３３】
つぎに、セットアップの完了後、検出部３１１によりウォブル検出、すなわち、そのコンテンツの記録領域に形成されているウォブルの周波数を検出する（ステップＳ４０３）。そして、メディア識別部３１２により、検出されたウォブルの周波数に基づいて、記録領域のメディアの種類を識別する（ステップＳ４０４）。
【００３４】
そして、再生専用メディアである識別された場合（ステップＳ４０５：再生専用）、当該コンテンツの再生を開始する（ステップＳ４０８）一方、記録可能メディアであると識別された場合（ステップＳ４０５：記録可能）、その記録領域に記録されているコンテンツの再生許可があるか否かを判定する（ステップＳ４０６）。再生許可がない場合（ステップＳ４０６：Ｎｏ）、当該コンテンツの再生を禁止する（ステップＳ４０７）。
【００３５】
一方、再生許可がある場合（ステップＳ４０６：Ｙｅｓ）、当該コンテンツの再生を開始する（ステップＳ４０８）。このあと、終了する場合（ステップＳ４０９：Ｙｅｓ）、たとえば、光ディスク１００（２００）の全コンテンツの再生が終了した場合や再生終了の入力があった場合、一連の処理を終了する。一方、終了しない場合（ステップＳ４０９：Ｎｏ）、ステップＳ４０２に移行して、セットアップ部３０４により、他のコンテンツのセットアップをおこなう。
【００３６】
この実施の形態によれば、記録領域ごとにウォブルの周波数を検出してメディアの種類を識別することとしているため、メディアの種類を記録領域ごとに確認することができる。また、任意の記録領域に記録されているコンテンツの再生開始までの待ち時間が、当該コンテンツについての再生開始に必要なセットアップ時間のみとなるため、光ディスク１００，２００の全記録層Ｌ、全ゾーンＺのセットアップの完了を待たずに、当該コンテンツの再生を開始することができる。
【００３７】
これにより、記録領域ごとにメディアの種類が異なる単一の光ディスクであっても、光ディスク１００（または光ディスク２００）を挿入してから再生開始までの待ち時間を大幅に短縮することができる。したがって、ユーザは、光ディスク１００（または光ディスク２００）の挿入後、即座に映像や音声を視聴することができる。
【実施例】
【００３８】
ここで、上述した実施の形態にかかる光ディスク１００，２００および再生装置３００の実施例について説明する。
【００３９】
（光ディスクの構造）
まず、上述した実施の形態の一実施例にかかる光ディスクの構造について説明する。図５は、実施例にかかる光ディスクの一例を示す模式図である。この光ディスク５００は、メディアの種類が異なる２層の記録層Ｌ（Ｌ１、Ｌ２）を記録領域とする２層構造のディスクである。ここでは、一例として、第１記録層Ｌ１のメディアはＤＶＤ＋ＲＷ、第２記録層Ｌ２のメディアはＤＶＤ−Ｒとする。
【００４０】
図６は、図５に示した２層構造の光ディスクの積層構造を示す断面図である。図６において、光ディスク５００は、読取面を有する基板６０１と、第１誘電層６０２と、第１記録層Ｌ１（ＤＶＤ＋ＲＷ）と、第２誘電層６０３と、レーザ光を透過／反射する半透過層６０４と、第２記録層Ｌ２（ＤＶＤ−Ｒ）と、レーザ光を反射する反射層６０５と、オーバーコート６０６と、接着層６０７と、カバー基板６０８と、印刷層６０９とから構成されている。
【００４１】
図７は、実施例にかかる光ディスクの他の例を示す模式図である。この光ディスク７００は、各記録層Ｌ（第１記録層Ｌ１、第２記録層Ｌ２）において、光ディスク７００の径方向に区分した３個ゾーンＺ（Ｚ１〜Ｚ３）が構成された光ディスクである。図８は、図７に示した光ディスク７００の各記録層Ｌ１、Ｌ２の概略エリア構成を示す説明図である。図８において、記録領域となる各ゾーンＺ１〜Ｚ３は、光ディスク７００の内周側から外周側に向かって、ＰＣＡ８０１（Power Calibration Area）、ＲＭＡ（Recording Management Area）８０２、リードイン領域８０３、データ領域８０５、リードアウト領域８０６からなる構造とされている。
【００４２】
ＰＣＡ８０１は、レーザ光の記録パワーを決定するときの試し書きをおこなう領域であり、ＲＭＡ８０２は記録に関する管理情報を書き込む領域である。なお、記録領域のメディアがＤＶＤ−ＲＯＭである場合には、このＰＣＡ８０１およびＲＭＡ８０２は設けられていない。リードイン領域８０３は、ゾーンＺ１（またはＺ２、Ｚ３）の開始を示しており、リードイン領域８０３内には、この光ディスク７００に関する各種制御データが記録されている制御データ領域（ＣＤＡ）８０４が形成されている。データ領域８０５には、コンテンツに関するデータが記録されている。リードアウト領域８０６は、ゾーンＺ１（またはＺ２、Ｚ３）の終了を示している。
【００４３】
図９は、図５または図７に示した各記録層Ｌまたは各ゾーンＺの記録面の一部を示す斜視図である。図９中、矢印Ｘ方向は、光ディスク５００，７００の周方向をあらわしている。図９において、記録面９００にはデータを書き込むためのグルーブ９０１が形成されており、記録面９００上において同心円状または螺旋状に形成されている。グルーブ９０１上には、記録マーク９１０が記録されている。
【００４４】
また、グルーブ９０１は、その延在する方向に沿って所定周期で正弦波状に蛇行した形状とされている。この蛇行形状はウォブル（またはウォブリング、グルーブウォブリングともいう）９０２と呼ばれ、メディアの種類によってその周波数（周期）が異なる。なお、再生専用メディアにはウォブル９０２は形成されていない。グルーブ９０１は、隣接するランド９０３によって挟まれている。
【００４５】
（再生装置のハードウェア構成）
つぎに、この発明の実施例にかかる再生装置のハードウェア構成について説明する。図１０は、この発明の実施例にかかる再生装置のハードウェア構成を示すブロック図である。図１０において、再生装置１０００は、ＣＰＵ１００１と、ＲＯＭ１００２と、ＲＡＭ１００３と、ＨＤＤ（ハードディスクドライブ）１００４と、ＨＤ（ハードディスク）１００５と、光ディスクドライブ１００６と、光ディスク１００７（光ディスク５００または光ディスク７００）と、映像／音声Ｉ／Ｆ（インターフェース）１００８と、ディスプレイ１００９と、スピーカ１０１０と、入力Ｉ／Ｆ（インターフェース）１０１１と、リモコン１０１２と、キーボード／マウス１０１３と、通信Ｉ／Ｆ（インターフェース）１０１４と、を備えている。また、各構成部１００１〜１０１４はバス１０１６によってそれぞれ接続されている。
【００４６】
ここで、ＣＰＵ１００１は、再生装置１０００の全体の制御を司る。ＲＯＭ１００２は、ブートプログラムなどのプログラムを記憶している。ＲＡＭ１００３は、ＣＰＵ１００１のワークエリアとして使用される。ＨＤＤ１００４は、ＣＰＵ１００１の制御にしたがってＨＤ１００５に対するデータのリード／ライトを制御する。ＨＤ１００５は、ＨＤＤ１００４の制御で書き込まれたデータを記憶する。
【００４７】
光ディスクドライブ１００６は、ＣＰＵ１００１の制御にしたがって光ディスク１００７に対するデータのリード／ライトを制御する。光ディスク１００７は、光ディスクドライブ１００６の制御にしたがって記録されたデータの読み出される着脱自在な記録媒体である。光ディスク１００７として、書き込み可能な記録媒体を用いることもできる。
【００４８】
また、映像／音声Ｉ／Ｆ（インターフェース）１００８は、映像表示用のディスプレイ１００９と音声出力用のスピーカ１０１０（あるいはヘッドホン）に接続される。ディスプレイ１００９には、カーソル、アイコン、メニュー、ウィンドウ、あるいはツールボックスをはじめ、文字や画像等の各種データが表示される。このディスプレイ１００９は、たとえば、ＣＲＴ、ＴＦＴ液晶ディスプレイ、プラズマディスプレイなどを採用することができる。スピーカ１０１０からは、音声が出力される。
【００４９】
また、入力Ｉ／Ｆ１０１１は、文字、数値、各種指示等の入力のための複数のキーを備えたリモコン１０１２やキーボード／マウス１０１３から送信されてくるデータを入力する。キーボード／マウス１０１３は、文字、数字、各種指示などの入力のためのキーを備え、データの入力をおこなうキーボードと、カーソルの移動や範囲選択、あるいはウィンドウの移動やサイズの変更などをおこなうマウスからなる。
【００５０】
キーボード１０１３は、タッチパネル式の入力パッドやテンキーであってもよく、マウス１０１３は、ポインティングデバイスとして同様に機能を備えるものであれば、トラックボールやジョイスティックなどであってもよい。また、不図示であるが必要に応じて出力Ｉ／Ｆを設け、この出力Ｉ／Ｆを介して文字や画像を光学的に読み取るスキャナや、文字や画像を印刷するプリンタを接続することができる。
【００５１】
また、通信Ｉ／Ｆ１０１４は、無線、あるいは通信回線を通じてインターネットなどのネットワーク１０１５に接続され、このネットワーク１０１５を介して他の装置に接続される。そして、通信Ｉ／Ｆ１０１４は、ネットワーク１０１５とＣＰＵ１００１とのインターフェースを司り、外部装置からのデータの入出力を制御する。ネットワーク１０１５には、ＬＡＮ、ＷＡＮ、公衆回線網や携帯電話網等がある。
【００５２】
つぎに、図１０に示した光ディスクドライブ１００６のハードウェア構成について説明する。図１１は、図１０に示した光ディスクドライブ１００６のハードウェア構成を示すブロック図である。図１１において、光ディスクドライブ１００６は、サーボ信号処理回路１１０１と、ドライバ回路１１０２と、スピンドルモータ１１０３と、光ピックアップ１１０４と、ＲＦ増幅回路１１０５と、ウォブル検出回路１１０６と、から構成されている。
【００５３】
サーボ信号処理回路１１０１は、スピンドルモータ１１０３と光ピックアップ１１０４の動作を制御する。具体的には、サーボ信号処理回路１１０１は、ＣＰＵ１００１からの指令により、ドライバ回路１１０２に対してモータ制御信号Ｓｄおよびサーボ制御信号Ｓｃを出力する。ドライバ回路１１０２は、スピンドルモータ１１０３に対してモータ制御信号Ｓｄを供給し、光ピックアップ１１０４に対してサーボ制御信号Ｓｃを供給する。
【００５４】
スポンドルモータ１１０３は、ドライバ回路１１０２からのモータ制御信号Ｓｄに基づき光ディスク１００７を回転させる。光ピックアップ１１０４は、ドライバ回路１１０２からのサーボ制御信号Ｓｃに基づき、光ディスク１００７の径方向に移動する。また、光ピックアップ１１０４は、光ディスク１００７の読取面にレーザ光を照射するとともに、読取面１００７ａのピットに対応した反射レーザ光を受光する。光ピックアップ１１０４は、反射レーザ光を電気信号Ｓａに変換し、ＲＦ増幅回路１１０５に出力する。ＲＦ増幅回路１１０５は、光ピックアップ１１０４からの電気信号Ｓａを増幅し、ＲＦ信号Ｓｇとしてサーボ信号処理回路１１０１に出力する。
【００５５】
また、サーボ信号処理回路１１０１は、ＲＦ信号Ｓｇを復調してエラー訂正などの信号処理をおこなう。そして、信号処理されたＲＦ信号Ｓｇを映像／音声Ｉ／Ｆ１００８に出力する。映像／音声Ｉ／Ｆ１００８は、信号処理されたＲＦ信号Ｓｇを映像信号あるいは音声信号に変換処理し、かつその変換処理された各信号をデジタルーアナログ変換して、ディスプレイ１００９やスピーカ（ヘッドホン）１０１０に出力する。これにより、光ディスク１００７に記録されたコンテンツを再生することができる。
【００５６】
また、ＲＦ増幅回路１１０５は、フォーカスエラー信号やトラッキングエラー信号等を生成し、サーボ信号処理回路１１０１に出力する。そして、サーボ信号処理回路１１０１は、それらの信号に基づきサーボ制御信号Ｓｃを生成してドライバ回路１１０２に出力する。ドライバ回路１１０２は、そのサーボ制御信号Ｓｃに基づき光ピックアップ１１０４のフォーカスクローズ（フォーカス調整）、トラッキングクローズ（トラッキング調整）やスピンドルモータ１１０３の回転数の制御などのセットアップをおこなう。
【００５７】
また、ＲＦ増幅回路１１０５は、光ピックアップ１１０４からの電気信号Ｓａを増幅して、プッシュプル信号Ｓｂとしてウォブル検出回路１１０６に出力する。ウォブル検出回路１１０６は、ＣＰＵ１００１からの制御信号Ｓｈにより、プッシュプル信号Ｓｂから図９に示したウォブル９０２の周波数を検出する。図示しないが、ウォブル検出回路１１０６は、ＤＶＤ−Ｒ、ＤＶＤ−ＲＷ、ＤＶＤ＋Ｒ、ＤＶＤ＋ＲＷ、ＤＶＤ−ＲＡＭに形成されているウォブル９０２の周波数を検出するフィルタ回路を有している。
【００５８】
ウォブル検出回路１１０６は、内部のフィルタ回路から得られる帯域制限信号Ｓｅをサーボ信号処理回路１１０１に出力する。サーボ信号処理回路１１０１は、帯域制限信号Ｓｅの周波数を計測し、その周波数値をＣＰＵ１００１に出力する。ＣＰＵ１００１は、その周波数値にしたがって光ディスク１００７の記録領域におけるメディアの種類を識別する。
【００５９】
また、ＣＰＵ１００１によって光ディスク１００７の記録領域におけるメディアの種類が識別された場合、当該記録領域に記録されているコンテンツの再生を設定する。すなわち、ＣＰＵ１００１がサーボ信号処理回路１１０１に、メディアの種類に応じた設定に関する指令を送ることにより、サーボ信号処理回路１１０１がドライバ回路１１０２を制御して、スピンドルモータ１１０３の回転数や、光ピックアップ１１０４から照射されるレーザ光の強度などを設定する。
【００６０】
なお、図４に示した検出部３１１は、ウォブル検出回路１１０６およびサーボ信号処理回路１１０１によってその機能を実現することができる。また、図４に示したメディア識別部３１２は、図１０に示したＲＯＭ１００２、ＲＡＭ１００３、ＨＤ１００５などの記録媒体に記録されたプログラムをＣＰＵ１００１が実行することによってその機能を実現することができる。
【００６１】
また、図４に示した再生部３０３は、サーボ信号処理回路１１０１、ドライバ回路１１０２、スピンドルモータ１１０３、光ピックアップ１１０４、ＲＦ増幅回路１１０５、または映像／音声Ｉ／Ｆによってその機能を実現することができる。また、図４に示した判定部３０２は、ＲＯＭ、ＲＡＭ、ＨＤなどの記録媒体に記録されたプログラムをＣＰＵ１００１が実行することによってその機能を実現することができる。また、図４に示したセットアップ部３０４は、サーボ信号処理回路１１０１、ドライバ回路１１０２、スピンドルモータ１１０３、光ピックアップ１１０４、ＲＦ増幅回路１１０５によってその機能を実現することができる。
【００６２】
（再生処理手順）
つぎに、実施例にかかる再生処理手順について説明する。図１２は、実施例にかかる再生処理手順を示すフローチャートである。ここでは、図２に示したような、記録層数がｍ、各記録層のゾーン数がｎである光ディスクにおいて、第ｉ記録層の第ｊゾーンの記録領域Ｐ（ｉ，ｊ）に記録されているコンテンツを再生するものとする。
【００６３】
図１２において、まず、ｃ＝０、ｉ＝１，ｊ＝１に設定する（ステップＳ１２０１）。光ディスクを挿入した場合、第１記録層の最内周のゾーンである記録領域Ｐ（ｉ，ｊ）（＝Ｐ（１，１））にシークして（ステップＳ１２０２）、記録領域Ｐ（ｉ，ｊ）のセットアップをおこなう（ステップＳ１２０３）。そして、セットアップ完了後、この記録領域Ｐ（ｉ，ｊ）に記録されているコンテンツのデータを読み取って、バッファに記録する（ステップＳ１２０４）。
【００６４】
つぎに、コンテンツのデータがバッファに所定量貯まっていない場合（ステップＳ１２０５：Ｎｏ）、ステップＳ１２０４に移行して、データをバッファに記録する。一方、コンテンツのデータがバッファに所定量貯まった場合（ステップＳ１２０５：Ｙｅｓ）、ウォブル検出、すなわち、現在の記録領域Ｐ（ｉ，ｊ）に形成されているウォブル９０２の周波数を検出する（ステップＳ１２０６）。そして、検出結果に基づいてメディアを識別する（ステップＳ１２０７）。
【００６５】
現在の記録領域Ｐ（ｉ，ｊ）のメディアが、再生専用メディアであると識別された場合（ステップＳ１２０８：再生専用）、ステップＳ１２１１へ移行する。一方、現在の記録領域Ｐ（ｉ，ｊ）のメディアが、記録可能メディアであると識別された場合（ステップＳ１２０８：記録可能）、現在の記録領域Ｐ（ｉ，ｊ）に著作権保護コンテンツが記録されているか否かを確認する（ステップＳ１２０９）。
【００６６】
そして、著作権保護コンテンツがある場合（ステップＳ１２０９：Ｙｅｓ）、現在の記録領域Ｐ（ｉ，ｊ）での再生を禁止し（ステップＳ１２１０）、ステップＳ１２１４に移行する。一方、著作権保護コンテンツがない場合（ステップＳ１２０９：Ｎｏ）、または、現在の記録領域Ｐ（ｉ，ｊ）のメディアが、再生専用メディアであると識別された場合（ステップＳ１２０８：再生専用）、ｃの値をインクリメントする（ステップＳ１２１１）。
【００６７】
そして、ｃ≠１の場合（ステップＳ１２１２：Ｎｏ）、ステップＳ１２１４に移行する。一方、ｃ＝１の場合（ステップＳ１２１２：Ｙｅｓ）、バッファからデータを読み出して現在の記録領域Ｐ（ｉ，ｊ）に記録されているコンテンツの再生を開始する（ステップＳ１２１３）。つぎに、ｊ≠ｎの場合（ステップＳ１２１４：Ｎｏ）、ｊの値をインクリメントして（ステップＳ１２１５）、同一記録層（第ｉ記録層）内の隣接ゾーンの記録領域記録領域Ｐ（ｉ，ｊ）にシークする（ステップＳ１２１６）。そして、ステップＳ１２０３に移行して、セットアップをおこなう。
【００６８】
また、ステップＳ１２１４において、ｊ＝ｎの場合（ステップＳ１２１４：Ｙｅｓ）、ｉ＝ｍであれば（ステップＳ１２１７：Ｙｅｓ）、一連の処理を終了する。この場合、ステップＳ１２１３で再生が開始されたコンテンツの再生を継続し、バッファ内にデータがなくなった場合、再生が終了する。一方、ｉ≠ｍの場合（ステップＳ１２１７：Ｎｏ）、ｉの値をインクリメントするとともに、ｊの値を１にセットする（ステップＳ１２１８）。その後、記録領域Ｐ（ｉ，ｊ）にシークする（ステップＳ１２１９）。そして、ステップＳ１２０３に移行して、セットアップをおこなう。
【００６９】
なお、図１２に示したフローチャートにおいて、ステップＳ１２０２〜Ｓ１２１９の間で、ユーザから任意のコンテンツの再生指示入力があった場合は、ユーザからの再生指示を優先して、そのコンテンツが記録されている記録領域Ｐ（ｉ，ｊ）にシークし、ステップＳ１２０３に移行して、セットアップをおこなうこととする。
【００７０】
つぎに、従来の同一メディア多層ディスクとの再生開始までの処理時間の比較について説明する。ここでは、簡単に、図７に示したような２層×３ゾーン構造の同一メディアの光ディスクを用いて説明する。
【００７１】
ここで、光ディスクの挿入時間を３秒、同一層内で他のゾーンにシークする時間を２．５秒、１ゾーンを再生するために必要なセットアップ時間を７秒、他の層にシークしてからシーク後の層を再生するために必要なセットアップ時間を７秒とする。
【００７２】
まず、従来の光ディスクを従来の再生装置に挿入してから記録領域Ｐ（１，１）のセットアップが完了するまでの時間Ｔ１は１０秒となる。つぎに、記録領域Ｐ（１，１）から記録領域Ｐ（１，２）にシークして記録領域Ｐ（１，２）のセットアップが完了するまでの時間Ｔ２は９．５秒となる。そのあと、記録領域Ｐ（１，２）から記録領域Ｐ（１，３）にシークして記録領域Ｐ（１，３）のセットアップが完了するまでの時間Ｔ３は９．５秒となる。
【００７３】
つぎに、記録領域Ｐ（１，３）から記録領域Ｐ（１，１）にシークする時間Ｔ４は２．５秒である。このあと、記録領域Ｐ（１，１）から記録領域Ｐ（２，１）にシークして記録領域Ｐ（２，１）のセットアップが完了するまでの時間Ｔ４は７秒である。つぎに、記録領域Ｐ（２，１）からゾーンＰ（２，２）にシークして記録領域Ｐ（２，２）のセットアップが完了するまでの時間Ｔ５は９．５秒となる。そのあと、記録領域Ｐ（２，２）から記録領域Ｐ（２，３）にシークして記録領域Ｐ（２，３）のセットアップが完了するまでの時間Ｔ５は９．５秒となる。
【００７４】
つぎに、記録領域Ｐ（２，３）から記録領域Ｐ（２，１）にシークする時間Ｔ６は２．５秒である。このあと、記録領域Ｐ（２，１）から記録領域Ｐ（１，１）にシークする時間Ｔ７が７秒となる。したがって、従来の光ディスクを従来の再生装置３００に挿入してから全記録領域のセットアップが完了するまでのトータル時間Ｔは、時間Ｔ１〜Ｔ７を合計すると、６７秒となる。すなわち、このあと、再生開始層のウォブル検出をおこない、メディアの識別、著作権保護コンテンツか否かの判定をおこなって、再生を開始することとなる。
【００７５】
一方、図７に示した本実施例の光ディスク７００では、記録領域Ｐ（ｉ，ｊ）、たとえば記録領域Ｐ（１，１）に形成されているウォブル９０２の周波数を検出する前に、記録領域Ｐ（１，１）のセットアップをおこない、他の記録領域Ｐ（１，２）〜Ｐ（２，３）のセットアップは、記録領域Ｐ（１，１）に記録されているコンテンツの再生中におこなうことができるため、再生開始までの所要時間は、記録領域Ｐ（１，１）のセットアップが完了するまでの時間Ｔ１＝１０秒となる。
【００７６】
この所要時間は、記録層数ｍやゾーン数ｎが増加しても変わらないため、異なるメディアの記録層ＬやゾーンＺが追加されて記憶容量が増大しても、一定の所要時間を維持することができ、光ディスク７００を再生装置１０００に挿入してから即座に再生することができる。
【００７７】
また、図７に示した光ディスク７００は、たとえば、第１記録層Ｌ１のメディアが記録可能メディア（たとえば、ＤＶＤ−ＲＷ）、第２記録層Ｌ２のメディアも記録可能メディア（たとえば、ＤＶＤ−Ｒ）である２種類のメディア構造であり、第１記録層Ｌ１には著作権保護コンテンツが記録され、第２記録層Ｌ２には著作権保護コンテンツが記録されていないものとする。
【００７８】
ここで、第１記録層Ｌ１を再生開始層としてウォブル検出をおこなうと、検出結果により第１記録層Ｌ１は記録可能メディアと識別されるため、第１記録層Ｌ１についてのみ著作権保護コンテンツであるか否かの確認がおこなわれる。この場合、著作権保護コンテンツがあると判定されるため、第２記録層Ｌ２に著作権保護コンテンツがない場合であっても、光ディスク７００全体として再生が許可されないこととなり、第２記録層Ｌ２に記録されているコンテンツを視聴することができない。
【００７９】
一方、本実施例では、記録層Ｌごとにウォブル検出をおこなうため、第１記録層Ｌ１のウォブル検出およびメディア識別のあと、著作権保護コンテンツであるか否かを確認する。この場合、著作権保護コンテンツがあると判定されるため、第１記録層Ｌ１のコンテンツについては、再生が許可されない。また、本実施例の再生装置１０００では、第２記録層Ｌ２のコンテンツについてもウォブル検出およびメディア識別をおこなう。
【００８０】
このウォブル検出およびメディア識別のあと、第２記録層Ｌ２のコンテンツについても著作権保護コンテンツであるか否かを確認する。この場合、著作権保護コンテンツがないと判定されるため、第２記録層Ｌ２のコンテンツについては、再生が許可されることとなる。したがって、本実施例によれば、記録領域（記録層Ｌ、ゾーンＺ）ごとに再生可否を判断することができ、記録領域ごとにメディアの種類が異なる光ディスクであっても、当該光ディスク内の再生許可されているすべてのコンテンツを再生することができる。
【００８１】
このように、上述した実施の形態および実施例によれば、再生が適法なコンテンツについての再生禁止処理を防止することができる。これにより、再生が適法なコンテンツについて、ユーザの自由な視聴を保障することができる。また、記録領域（記録層、ゾーン）ごとにメディアの種類が異なるため、記録領域ごとのウォブル検出に先立って当該記録領域についてのみセットアップをおこなうため、光ディスク挿入後再生開始前に、光ディスクの全記録層および全ゾーンにわたってセットアップを完了しておく必要もなく、再生開始までの待ち時間の短縮化を図ることができる。
【００８２】
以上のことから、上述した実施の形態および実施例によれば、記録領域ごとにメディアの種類が異なる光ディスクについて、記録領域ごとにウォブル検出をおこなうことによって、コンテンツについてのユーザの自由な視聴と著作者の保護を図ることができるという効果を奏する。また、セットアップ時間の短縮によりコンテンツの再生開始までの待ち時間の短縮化を図ることができるという効果を奏する。
【００８３】
なお、本実施の形態および実施例にかかる識別装置、再生装置、識別方法、再生方法、および光ディスクは、ＣＤプレーヤ、ＣＤ−Ｒ／ＲＷドライブ、ＤＶＤプレーヤ、ＤＶＤレコーダ、ＤＶＤ±Ｒ／ＲＷドライブ、ＤＶＤ−ＲＡＭドライブ、ＤＶＤマルチドライブなどの光ディスクドライブや再生装置、記録再生装置に有用である。
【図面の簡単な説明】
【００８４】
【図１】この発明の実施の形態にかかる光ディスクの一例を示す模式図である。
【図２】この発明の実施の形態にかかる光ディスクの他の例を示す模式図である。
【図３】この発明の実施の形態にかかる再生装置の機能的構成を示すブロック図である。
【図４】この発明の実施の形態にかかる再生処理手順を示すフローチャートである。
【図５】実施例にかかる光ディスクの一例を示す模式図である。
【図６】図５に示した２層構造の光ディスクの積層構造を示す断面図である。
【図７】実施例にかかる光ディスクの他の例を示す模式図である。
【図８】図７に示した光ディスクの各記録層の概略エリア構成を示す説明図である。
【図９】図５または図７に示した各記録層または各ゾーンの記録面の一部を示す斜視図である。
【図１０】この発明の実施例にかかる再生装置のハードウェア構成を示すブロック図である。
【図１１】図１０に示した光ディスクドライブのハードウェア構成を示すブロック図である。
【図１２】実施例にかかる再生処理手順を示すフローチャートである。
【符号の説明】
【００８５】
１００，２００，１００７（５００，７００）  光ディスク
３００  再生装置
３０１  識別装置
３０２  判定部
３０３  再生部
３０４  セットアップ部
３１１  検出部
３１２  メディア識別部
Ｌ  記録層
Ｚ  ゾーン
【図１】
2006092587.tif 000003
【図２】
2006092587.tif 000004
【図３】
2006092587.tif 000005
【図４】
2006092587.tif 000006
【図５】
2006092587.tif 000007
【図６】
2006092587.tif 000008
【図７】
2006092587.tif 000009
【図８】
2006092587.tif 000010
【図９】
2006092587.tif 000011
【図１０】
2006092587.tif 000012
【図１１】
2006092587.tif 000013
【図１２】
2006092587.tif 000014